(57)【要約】【課題】波長数情報を用いずに光増幅器の利得を制御し、波長数変化時の過渡期における光信号の伝送品質が劣化するのを防止すること。【解決手段】予め設定されたチャネル当たりの前段の光増幅器５１における光出力パワーと後段の光増幅器５２における光出力パワーの差Ｃ２とトータルの目標利得Ｇ０との差によって、ＡＧＣ回路５８が前段の光増幅器５１の利得Ｇ０ａを制御し、またこの差Ｃ２とこのスルーするチャネルでの挿入損失Ｌｔとの和によって、ＡＧＣ回路５９が後段の光増幅器５２の利得Ｇ０ｂを制御し、さらに予め設定される各光増幅部５４，５５，５７の利得の和Ｃ１と、目標利得Ｇ０とチャネルでの挿入損失Ｌｔとの和との差によって、ＶＯＡ５６の減衰量Ｌｖが（Ｌｖ＝Ｃ１−Ｇ０−Ｌｔ）になるように、ＶＯＡ制御回路６８が減衰量を制御することで、光増幅装置５０の利得を設定された目標利得に制御する。【選択図】　　　図１
2004112312.tif 000002
【特許請求の範囲】
【請求項１】
少なくとも２つの光増幅器と少なくとも１つの光波長合分波手段とが接続され、光伝送路を介して入力する光信号を前記光増幅器で増幅し、かつ前記光波長合分波手段によって前記光伝送路に所定波長の光信号を入出力させるとともに、当該光伝送路上の光信号のパワーを検出し、該検出した光パワーに応じて前記光増幅器内の各光増幅部の利得を制御する光増幅方法において、
前段の前記光増幅器の利得Ｇ０ａが、予め設定されたトータルの目標利得Ｇ０と、予め設定された前記前段の光増幅器におけるチャネル当たりの光パワーと後段の前記光増幅器におけるチャネル当たりの光パワーの差Ｃ２との差（Ｇ０ａ＝Ｇ０−Ｃ２）になるように制御する第１の制御工程と、
前記後段の前記光増幅器の利得Ｇ０ｂが、光信号が前記光波長合分波手段をスルーするチャネルでの挿入損失Ｌｔと、前記差Ｃ２との和（Ｇ０ｂ＝Ｌｔ＋Ｃ２）になるように制御する第２の制御工程と、
を含むことを特徴とする光増幅方法。
【請求項２】
前記光増幅方法では、
前記前段の光増幅器に設けられた減衰器の減衰量Ｌｖが、利得が平坦となる時の前記各増幅部の利得の和Ｃ１と、前記目標利得Ｇ０と前記光波長合分波手段をスルーするチャネルでの挿入損失Ｌｔの和（Ｇ０＋Ｌｔ）との差（Ｌｖ＝Ｃ１−Ｇ０−Ｌｔ）になるように制御する第３の制御工程をさらに含むことを特徴とする請求項１に記載の光増幅方法。
【請求項３】
光伝送路を介して入力する光信号を増幅する少なくとも２つの光増幅器と、前記光伝送路に所定波長の光信号を入出力させる少なくとも１つの光波長合分波手段と、光伝送路上の光信号の光パワーを検出するパワー検出手段と、該検出された光パワーに応じて前記光増幅器内の各光増幅部の利得を制御する増幅制御手段とを有し、光信号の増幅を行う光増幅装置において、
前段の光増幅器の利得Ｇ０ａを検出する第１の検出手段と、
後段の光増幅器の利得Ｇ０ｂを検出する第２の検出手段と、
予め設定された前記前段の光増幅器におけるチャネル当たりの光パワーと前記後段の光増幅器におけるチャネル当たりの光パワーの差Ｃ２と、予め設定されたトータルの目標利得Ｇ０との差（Ｇ０−Ｃ２）に基づいて、前記前段の光増幅器の利得Ｇ０ａを制御する第１の利得制御手段と、
前記差Ｃ２と、前記光信号が前記光波長合分波手段をスルーするチャネルでの挿入損失Ｌｔとの和に基づいて、前記後段の光増幅器の利得Ｇ０ｂを制御する第２の利得制御手段と、
を備えたことを特徴とする請求項１に記載の光増幅装置。
【請求項４】
前記光増幅装置は、
前記前段の光増幅器に設けられた減衰器と、
利得が平坦となる時の予め設定された前記各光増幅部の利得の和Ｃ１と、前記目標利得Ｇ０と前記光波長合分波手段をスルーするチャネルでの挿入損失Ｌｔの和（Ｇ０＋Ｌｔ）との差（Ｃ１−Ｇ０−Ｌｔ）に基づいて、前記減衰器の減衰量Ｌｖを制御する減衰量制御手段と、
をさらに備えたことを特徴とする請求項３に記載の光増幅装置。
【請求項５】
前記光増幅装置は、
入力する上流局の光出力パワーの情報を受信する受信手段と、
前記上流局の光伝送路からの光信号のトータル光入力パワーを検出する入力パワー検出手段と、
前記光出力パワーと光入力パワーに基づいて、前記トータル目標利得Ｇ０を設定する設定手段と、
をさらに備え、前記第１の利得制御手段は、前記設定されたトータル目標利得Ｇ０と前記差Ｃ２との差（Ｇ０−Ｃ２）に基づいて、前記前段の光増幅器の利得Ｇ０ａを制御し、前記減衰量制御手段は、前記設定されたトータル目標利得Ｇ０と前記スルーチャネルでの挿入損失Ｌｔの和（Ｇ０＋Ｌｔ）との差（Ｃ１−Ｇ０−Ｌｔ）に基づいて、前記減衰器の減衰量Ｌｖを制御することを特徴とする請求項３または４に記載の光増幅装置。
【請求項６】
前記光増幅装置は、
前記入力パワー検出手段または出力パワー検出手段で検出された光パワーに基づいた前記減衰器の減衰量の補正値ΔＬを求める補正手段をさらに備え、
前記減衰量制御手段は、前記（Ｃ１−Ｇ０−Ｌｔ）と補正値ΔＬとの和（Ｃ１−Ｇ０−Ｌｔ＋ΔＬ）に基づいて、前記減衰器の減衰量Ｌｖを制御することを特徴とする請求項４または５に記載の光増幅装置。
【請求項７】
光伝送路に多段接続された光増幅装置で、前記光伝送路に伝搬される光信号を増幅して中継する光増幅中継システムにおいて、
前記請求項３〜６に記載の光増幅装置を少なくとも１つ備えたことを特徴とする光増幅中継システム。
【発明の詳細な説明】
【０００１】
【発明の属する技術分野】
この発明は、波長数情報を用いずに光増幅器の利得を制御する光増幅方法、その装置およびその装置を用いた光増幅中継システムに関するものである。
【０００２】
【従来の技術】
従来の光増幅中継システムでは、伝送距離の長距離化、伝送容量の増大に伴い、データトラヒックが急増している。このデータトラヒックの増加は、通信パフォーマンスの低下を招くこととなる。そこで、この通信パフォーマンスの低下を防止するため、波長多重伝送（ＷＤＭ）システムが普及しつつある。
【０００３】
このようなＷＤＭシステムは、例えば図７に示すように、送信端局装置１０と、受信端局装置２０と、この送信端局装置１０と受信端局装置２０を接続させる光ファイバ伝送路（以下、「光伝送路」という）３０と、この光伝送路３０上に数段設けられた中継局を構成する光増幅装置４０とから構成され、１心の光伝送路３０に波長の異なる複数の光信号を同時に伝送するのものがある。
【０００４】
すなわち、このシステムでは、送信端局装置１０の各光送信器１１１〜１１ｎ（ｎは任意の整数）がそれぞれ異なる波長λ１〜λｎで送信された複数の光信号を、光カプラやＷＤＭカプラやアレイ導波路型光分波器（ＡＷＧ）等からなる光合波器１２で波長多重して、光増幅装置１３で光増幅した後に、シングルモード光ファイバ（ＳＭＦ）や分散シフト光ファイバ（ＤＳＦ）からなる１心の伝送路３０に送信している。この多重された光信号は、例えばエルビウム添加ファイバ増幅器（ＥＤＦＡ）やツリウム添加ファイバ増幅器（ＴＤＦＡ）や半導体光増幅器（ＳＯＡ）等からなる数段の光増幅装置４０を経て、受信端局装置２０へ伝送することで、ハイパワーの光信号伝送を行い、長距離および大容量伝送を実現していた。
【０００５】
受信端局装置２０では、光増幅装置２１を介し光分波器２２によって、この多重された光信号を分波し、波長λ１〜λｎ毎に光受信器２３１〜２３ｎへ送出するものがあった。
【０００６】
このシステムに用いられる光増幅装置４０は、例えば図８に示すように、光ファイバ増幅部（以下、「光増幅部」という）４１，４２を備えている。この光増幅部４１，４２は、自動光出力一定制御回路（以下、「ＡＬＣ」という）４３，４４によって制御され、多重された光信号を一括して増幅することで、光伝送路３０の伝送損失を補償している。
【０００７】
この光増幅装置４０では、光増幅部４１，４２間にＯＡＤＭ（ＯｐｔｉｃａｌＡｄｄ−Ｄｒｏｐ　Ｍｕｌｔｉｐｌｅｘｅｒ）４５が接続されており、ＯＡＤＭ４５は、入力する光信号から所定波長の光信号を分岐（ドロップ）させたり、この光信号に所定波長の光信号を挿入（アド）させている。この光増幅装置４０において、たとえば前段の光増幅部４１には、ｎ１の波長数の光信号が、後段の光増幅部４２には、ｎ２の波長数の光信号がそれぞれ入力されており、ＡＬＣ回路４３，４４は、たとえば送信端局装置１０に設けられた監視装置（図示せず）などからこの波長数情報ｎ１，ｎ２を受け取っている。
【０００８】
このＡＬＣ回路４３，４４は、波長数対出力パワーを記憶させたテーブルを有しており、光増幅部４１，４２は、それぞれの波長数ｎ１，ｎ２に応じた出力パワーを出力している。すなわち、この光増幅装置４０では、光増幅部４１，４２の出力側に接続された光分波器４６，４７で分波された光信号における光増幅器の光出力パワーＰ１，Ｐ２を、光パワー検出回路であるＰＤ４８，４９で検出し、ＡＬＣ回路４３，４４に出力している。このＡＬＣ回路４３，４４では、この光出力パワーＰ１，Ｐ２がテーブルに記憶されている波長数ｎ１，ｎ２に対応した光出力パワーになるように、光増幅部４１，４２のフィードバック制御を行っている。
【０００９】
このＯＡＤＭ４５を備えた光増幅装置４０では、光信号の検出を可能とするため、ドロップしたチャネルの光パワーが所要範囲の中にあること、および後段の光増幅部４２の出力において、各チャネル当たりの光パワーがある所要範囲の中にあることが必要である。これを実現するために、従来例では、前段と後段の光増幅部４１，４２に入力する波長数の情報を、たとえば送信端局装置１０の監視装置から通知し、この波長数の情報に応じたトータルの光出力パワーを出力するように、前段と後段の光増幅部４１，４２をＡＬＣ制御していた。なお、この波長数ｎ１，ｎ２は、使用状況などによって変化することが考えられる。
【００１０】
また、端局装置で検出された波長数の情報を通知するシステムとしては、例えば特許文献１に示すように、端局装置内で検出された波長数の情報をシステム内の各中継装置に伝送し、この波長数の情報に応じて各中継装置内の光増幅部の利得制御を行うものがあった。
【００１１】
【特許文献１】
特開平９−２７４２０６号公報（第４頁、第３図）
【００１２】
【発明が解決しようとする課題】
しかしながら、上記従来例では、波長数を通知するタイミングは、監視装置での処理時間や通知時間などの時間がかかるために、実際の波長数変化に比べて通常ではこの通知に遅延が生じてしまう。この遅延があるため、従来例では、波長数変化が発生した場合の過渡期においては、光伝送路を伝搬する光信号の伝送品質が劣化する可能性があるという問題点があった。
【００１３】
すなわち、たとえば上流側から入力する波長数に変化があった場合には、光伝送路の光信号からドロップしたチャネルの光信号の光パワーが変化してビットエラーが発生したり、ＯＡＤＭを通過したチャネルの光信号の光パワーや光伝送路の光信号にアドしたチャネルの光信号の光パワーが変化して光信号の伝送品質が劣化するという問題点があった。また、ＯＡＤＭで、光伝送路の光信号に対して所定チャネルの光信号をアド／ドロップした場合には、この通過したチャネルの光信号の光パワーが変化して光信号の伝送品質が劣化するという問題点があった。
【００１４】
また、従来例では、ＯＡＤＭを通過するチャネルの光信号が複数ある場合には、これらチャネルでの波長毎に、平坦化を確保する必要がある。すなわち、独立した２台の光増幅部間にＯＡＤＭを接続させる場合は、各々の光増幅部の利得を平坦にすれば良い。これに対して製作コストを考慮すると、光増幅装置において複数台の光増幅部全体で平坦化を確保する構成の方が製作コストが安価になる。ところが、前段の光増幅部と後段の光増幅部で異なる波長数が設定されている場合には、平坦化を確保する手段が存在しなかった。
【００１５】
この発明は、上記問題点に鑑みなされたもので、波長数情報を用いずに光増幅器の利得を制御し、波長数変化時の過渡期における光信号の伝送品質が劣化するのを防止する光増幅方法、その装置およびその装置を用いた光増幅中継システムを提供することを目的とする。
【００１６】
また、この発明の他の目的は、各波長（チャネル）における利得の平坦化を図り、伝送効率を向上できる光増幅方法、その装置およびその装置を用いた光増幅中継システムを提供することにある。
【００１７】
【課題を解決するための手段】
上記目的を達成するため、請求項１にかかる光増幅方法では、少なくとも２つの光増幅器と少なくとも１つの光波長合分波手段とが接続され、光伝送路を介して入力する光信号を前記光増幅器で増幅し、かつ前記光波長合分波手段によって前記光伝送路に所定波長の光信号を入出力させるとともに、当該光伝送路上の光信号のパワーを検出し、該検出した光パワーに応じて前記光増幅器内の各光増幅部の利得を制御する光増幅方法において、前段の前記光増幅器の利得Ｇ０ａが、予め設定されたトータルの目標利得Ｇ０と、予め設定された前記前段の光増幅器におけるチャネル当たりの光パワーと後段の前記光増幅器におけるチャネル当たりの光パワーの差Ｃ２との差（Ｇ０ａ＝Ｇ０−Ｃ２）になるように制御する第１の制御工程と、前記後段の前記光増幅器の利得Ｇ０ｂが、光信号が前記光波長合分波手段を通過（スルー）するチャネルでの挿入損失Ｌｔと、前記差Ｃ２との和（Ｇ０ｂ＝Ｌｔ＋Ｃ２）になるように制御する第２の制御工程とを含むことを特徴とする。
【００１８】
この請求項１の発明によれば、少なくとも前段と後段の２つの増幅器を有し、第１の制御工程においては、検出された光パワーに基づいてモニタされた前段の利得Ｇ０ａが、（Ｇ０ａ＝Ｇ０−Ｃ２）になるようにＡＧＣ（自動利得制御）を行い、かつ第２の制御工程においては、検出された光パワーに基づいてモニタされた後段の利得Ｇ０ｂが、（Ｇ０ｂ＝Ｌｔ＋Ｃ２）になるようにＡＧＣを行うことで、波長数情報を用いずに光増幅器の利得を設定された目標利得に制御する。
【００１９】
また、請求項２にかかる光増幅方法では、上記発明において、前記前段の光増幅器に設けられた減衰器の減衰量Ｌｖが、利得が平坦となる時の前記各増幅部の利得の和Ｃ１と、前記目標利得Ｇ０と前記光波長合分波手段をスルーするチャネルでの挿入損失Ｌｔの和（Ｇ０＋Ｌｔ）との差（Ｌｖ＝Ｃ１−Ｇ０−Ｌｔ）になるように制御する第３の制御工程をさらに含むことを特徴とする。
【００２０】
この請求項２の発明によれば、前段の光増幅器に減衰器を設けるとともに、上述した請求項１の制御工程に第３の制御工程を加え、この第３の制御工程においては、減衰器の減衰量Ｌｖが（Ｌｖ＝Ｃ１−Ｇ０−Ｌｔ）になるようにＶＯＡ（光可変減衰）制御することで、波長数情報を用いずに光増幅器の利得を設定された目標利得に制御する。
【００２１】
また、請求項３にかかる光増幅装置では、光伝送路を介して入力する光信号を増幅する少なくとも２つの光増幅器と、前記光伝送路に所定波長の光信号を入出力させる少なくとも１つの光波長合分波手段と、光伝送路上の光信号のパワーを検出するパワー検出手段と、該検出された光パワーに応じて前記光増幅器内の各光増幅部の利得を制御する増幅制御手段とを有し、光信号の増幅を行う光増幅装置において、前段の光増幅器の利得Ｇ０ａを検出する第１の検出手段と、後段の光増幅器の利得Ｇ０ｂを検出する第２の検出手段と、予め設定された前記前段の光増幅器におけるチャネル当たりの光出力パワーと後段の光増幅器におけるチャネル当たりの光出力パワーの差Ｃ２と、予め設定されたトータルの目標利得Ｇ０との差（Ｇ０−Ｃ２）に基づいて、前記前段の光増幅器の利得Ｇ０ａを制御する第１の利得制御手段と、前記差Ｃ２と、前記光信号が前記光波長合分波手段をスルーするチャネルでの挿入損失Ｌｔとの和に基づいて、前記後段の光増幅器の利得Ｇ０ｂを制御する第２の利得制御手段とを備えたことを特徴とする。
【００２２】
この請求項３の発明によれば、予め設定されたチャネル当たりの前段と後段の光出力パワーの差Ｃ２とトータルの目標利得Ｇ０との差によって、前段の光増幅器の利得をＡＧＣで制御し、またこの差Ｃ２とこのスルーするチャネルでの挿入損失Ｌｔとの和によって、後段の光増幅器の利得をＡＧＣで制御し、監視装置から光伝送路に伝搬する波長数情報を用いることなく、光増幅器の利得を設定された目標利得に制御する。
【００２３】
また、請求項４にかかる光増幅装置では、上記発明において、前記前段の光増幅器に設けられた減衰器と、利得が平坦となる時の予め設定された前記各光増幅部の利得の和Ｃ１と、前記目標利得Ｇ０と前記光波長合分波手段をスルーするチャネルでの挿入損失Ｌｔの和（Ｇ０＋Ｌｔ）との差（Ｃ１−Ｇ０−Ｌｔ）に基づいて、前記減衰器の減衰量Ｌｖを制御する減衰量制御手段とをさらに備えたことを特徴とする。
【００２４】
この請求項４の発明によれば、予め設定された各光増幅部の利得の和Ｃ１と、目標利得Ｇ０とチャネルでの挿入損失Ｌｔとの和との差によって、減衰器の減衰量Ｌｖが（Ｌｖ＝Ｃ１−Ｇ０−Ｌｔ）になるようにＶＯＡ制御することで、光増幅器全体の利得がＧ０に保たれた中で、各チャネルにおける光信号の利得を平坦にして、光増幅器の全波長帯域でＧ０に近い利得を得る。
【００２５】
また、請求項５にかかる光増幅装置では、上記発明において、入力する上流局の光出力パワーの情報を受信する受信手段と、前記上流局の光伝送路からの光信号のトータル光入力パワーを検出する入力パワー検出手段と、前記光出力パワーと光入力パワーに基づいて、前記トータル目標利得Ｇ０を設定する設定手段とをさらに備え、前記第１の利得制御手段は、前記設定されたトータル目標利得Ｇ０と前記差Ｃ２との差（Ｇ０−Ｃ２）に基づいて、前記前段の光増幅器の利得Ｇ０ａを制御し、前記減衰量制御手段は、前記設定されたトータル目標利得Ｇ０と前記スルーチャネルでの挿入損失Ｌｔの和（Ｇ０＋Ｌｔ）との差（Ｃ１−Ｇ０−Ｌｔ）に基づいて、前記減衰器の減衰量Ｌｖを制御することを特徴とする。
【００２６】
この請求項５の発明によれば、この伝送された上流局の光出力パワーとこの検出されたトータル光入力パワーとから、目標利得Ｇ０を設定手段で自動的に設定し、第１の利得制御手段では、この目標利得Ｇ０と差Ｃ２との差によって前段の利得Ｇ０ａが、（Ｇ０ａ＝Ｇ０−Ｃ２）になるようにＡＧＣを行い、また減衰量制御手段では、この目標利得Ｇ０とスルーチャネルの挿入損失Ｌｔの和との差によって減衰量Ｌｖを、（Ｌｖ＝Ｃ１−Ｇ０−Ｌｔ）になるように制御することで、光増幅器の利得を設定された目標利得に制御する。
【００２７】
また、請求項６にかかる光増幅装置では、上記発明において、前記入力パワー検出手段または出力パワー検出手段で検出された光パワーに基づいた前記減衰器の減衰量の補正値ΔＬを求める補正手段をさらに備え、前記減衰量制御手段は、前記（Ｃ１−Ｇ０−Ｌｔ）と補正値ΔＬとの和（Ｃ１−Ｇ０−Ｌｔ＋ΔＬ）に基づいて、前記減衰器の減衰量Ｌｖを制御することを特徴とする。
【００２８】
この請求項６の発明によれば、たとえば、非線形光学現象の１つであるＳＲＳ（Ｓｔｉｍｕｌａｔｅｄ　Ｒａｍａｎ　Ｓｃａｔｔｅｒｉｎｇ：誘導ラマン散乱）の影響によって長波長側の光信号が短波長側の光信号から利得を受けてしまうのを考慮し、減衰器の減衰量Ｌｖを、（Ｌｖ＝Ｃ１−Ｇ０−Ｌｔ＋ΔＬ）に制御することで、ＳＲＳによって発生する利得の傾きと逆の傾きを持たせ、光増幅器と光伝送路のトータルとして各チャネルにおける光信号の利得を平坦にして、安定した光伝送を行う。
【００２９】
また、請求項７にかかる光増幅中継システムでは、光伝送路に多段接続された光増幅装置で、前記光伝送路に伝搬される光信号を増幅して中継する光増幅中継システムにおいて、前記請求項３〜６に記載の光増幅装置を少なくとも１つ備えたことを特徴とする。
【００３０】
この請求項７の発明によれば、光増幅中継システムに請求項３〜７に記載の光増幅装置を少なくとも１つ接続させて、光増幅器の利得制御を行うことで、光増幅器の利得を設定された目標利得に制御するとともに、各チャネルにおける光信号の利得の平坦化を図る。
【００３１】
【発明の実施の形態】
以下に図１〜図６の添付図面を参照して、この発明にかかる光増幅方法、その装置およびその装置を用いた光増幅中継システムの好適な実施の形態を説明する。
【００３２】
（実施の形態１）
図１は、この発明にかかる光増幅装置の実施の形態１の構成を示す構成図である。図において、光増幅装置５０は、前段の光増幅器５１と、後段の光増幅器５２と、この光増幅器５１，５２間に接続されたＯＡＤＭ５３とから構成されている。この前段の光増幅器５１は、光増幅部５４，５５と、この光増幅部５４，５５間に光可変減衰器（以下、「ＶＯＡ」という）５６を備え、この後段の光増幅器５２は、光増幅部５７を備えている。
【００３３】
この光増幅部５４，５５は、ＡＧＣ回路５８によって制御され、光増幅部５７は、ＡＧＣ回路５９によって制御され、多重された光信号を一括して増幅することで、光伝送路３０の伝送損失を補償している。
【００３４】
このＡＧＣ回路のうちのＡＧＣ回路５８には、たとえばユーザによる入力によって、外部から任意の光増幅装置全体のネット目標利得Ｇ０［ｄＢ］の情報が設定されるとともに、前段の光増幅器５１におけるチャネル当たりの光出力パワーと後段の光増幅器５２におけるチャネル当たりの光出力パワーの差Ｃ２［ｄＢ］が予め設定されている。このＡＧＣ回路５８は、前段の光増幅部５４，５５の利得Ｇ０ａが以下の式（１）で与えられる目標値に近づくように光増幅部５４，５５の利得制御を行っている。
【００３５】
Ｇ０ａ＝Ｇ０−Ｃ２　　　　　　…（１）
すなわち、この光増幅装置５０では、光分波器６０，６１で分波された光信号における光増幅部５４の光入力パワーＰ１［ｄＢｍ］と光増幅部５５の光出力パワーＰ２［ｄＢｍ］を、光パワー検出回路６２，６３で検出しており、このＡＧＣ回路５８では、Ｐ２−Ｐ１が式（１）で与えられる前段の光増幅部５４，５５の利得Ｇ０ａに近づくように、光増幅部５４，５５の利得制御を行っている。
【００３６】
また、ＡＧＣ回路５９には、たとえばユーザによる入力によって、外部からＯＡＤＭ５３をスルーするチャネルでのチャネル当たりの光信号の挿入損失Ｌｔ［ｄＢ］の情報が設定されるとともに、前段の光増幅器５１におけるチャネル当たりの光パワーと後段の光増幅器５２におけるチャネル当たりの光パワーの差Ｃ２［ｄＢ］が設定されている。このＡＧＣ回路５９は、後段の光増幅部５７の利得Ｇ０ｂ［ｄＢ］が以下の式（２）で与えられる目標値に近づくように光増幅部５７の利得制御を行っている。
【００３７】
Ｇ０ｂ＝Ｌｔ＋Ｃ２　　　　　　…（２）
すなわち、この光増幅装置５０では、光分波器６４，６５で分波された光信号における光増幅部５７の光入力パワーＰ３［ｄＢｍ］と光出力パワーＰ４［ｄＢｍ］を、光パワー検出回路６６，６７で検出しており、このＡＧＣ回路５９では、Ｐ４−Ｐ３が後段の利得Ｇ０ｂに近づくように利得制御を行っている。
【００３８】
ＶＯＡ５６の減衰量Ｌｖ［ｄＢ］は、ＶＯＡ制御回路６８によって制御されている。このＶＯＡ制御回路６８には、たとえばユーザによる入力によって、外部から任意の光増幅装置全体のネット目標利得Ｇ０［ｄＢ］の情報と、ＯＡＤＭ５３をスルーするチャネルのチャネル当たりの光信号の挿入損失Ｌｔ［ｄＢ］の情報が設定されるとともに、光増幅装置５０の利得が平坦となる時の各光増幅部５４，５５，５７の利得の和Ｃ１［ｄＢ］が予め設定されている。このＶＯＡ制御回路６８は、ＶＯＡ５６の減衰量Ｌｖが以下の式（３）で与えられる目標値に近づくように制御されている。
【００３９】
Ｌｖ＝Ｃ１−Ｇ０−Ｌｔ　　　…（３）
【００４０】
次に、図２、図３を用いて、上述した式（１）〜式（３）の検証を行う。この発明では、システム全体として各光増幅装置５０からの１チャネル当たりの光信号の光出力パワーは、たとえばＰ０［ｄＢｍ］で一定になるように利得制御を行うものとする。すなわち図２において、この発明にかかる光増幅装置を用いた光増幅中継システムの概略構成（図２（ａ）参照）と、システム全体のレベルダイヤグラム（図２（ｂ）参照）に示すように、このシステムでは、光増幅装置５０間の線路長ごとの伝送路損失Ｌに対して、ネット目標利得Ｇ０が、Ｇ０＝Ｌとなるように、各光増幅装置５０の利得が設定されることによって、チャネル当たりの光信号の光出力パワーＰ０が一定になっている。
【００４１】
また、各光増幅装置５０では、このネット目標利得Ｇ０を得るために、チャネル当たりの利得制御を行っている。すなわち、図３の光増幅装置の概略構成（図３（ａ）参照）と、光信号をスルー、ドロップまたはアドするチャネルのレベルダイヤグラム（図３（ｂ）参照）に示すように、光増幅装置５０内の各部位の光の入出力点をＡ〜Ｈに設定する。
【００４２】
この場合に、Ｇ０ａは、前段の光増幅器のチャネル当たりの光入力パワーと光出力パワーの差であるので、図中のＡ点とＤ点の光パワーのレベル差で示される。Ｇ０ｂは、後段の光増幅器のチャネル当たりの光入力パワーと光出力パワーの差であるので、図中のＧ点とＨ点の光パワーのレベル差で示される。Ｇ０は、光増幅装置５０のネット目標利得であるので、図中のＡ点とＨ点の光パワーのレベル差で示される。
【００４３】
また、Ｌｖは、ＶＯＡ５６の減衰量であるので、図中のＢ点とＣ点の光パワーのレベル差で示される。Ｌｔは、ＯＡＤＭ５３をスルーするチャネルでのチャネル当たりの挿入損失なので、図中のＤ点とＥ点の光パワーのレベル差で示される。Ｌｄは、ＯＡＤＭ５３をドロップするチャネルでの挿入損失なので、図中のＢ点とＣ点の光パワーのレベル差で示される。
【００４４】
ここで、スルーされるチャネルの光信号は、まず前段の光増幅器５１のうちの光増幅部５４でＡ点からＢ点の光パワーレベルに増幅され、ＶＯＡ５６でＣ点の光パワーレベルに減衰された後、光増幅部５５でＤ点の光パワーレベルに増幅される。さらに、この光信号は、ＯＡＤＭ５３でＧ点の光パワーレベルに減衰された後、後段の光増幅器５２の光増幅部５７でＨ点の光パワーレベルに増幅されて光伝送路に出力される。
【００４５】
ドロップされるチャネルの光信号は、Ａ点〜Ｄ点を通過後に、ＯＡＤＭ５３でドロップされてＥ点の光パワーレベルで出力されている。また、アドされるチャネルの光信号は、Ｆ点から入力されてＯＡＤＭ５３で光伝送路の光信号にアドされてＧ点の光パワーレベルで光伝送路に出力されている。
【００４６】
このような構成において、Ｃ２は、前段の光増幅器のチャネル当たりの光出力パワーと後段の光増幅器のチャネル当たりの光出力パワーの差であるので、図中のＤ点とＨ点の光パワーのレベル差で定義される。このＣ２は、システム設計の段階で設定されるものである。したがって、このＣ２とネット目標利得Ｇ０を設定すれば、前段の光増幅器の利得Ｇ０ａは、図３から明らかなように、
Ｇ０ａ＝Ｇ０−Ｃ２
が求まり、上述した式（１）が成り立つことは明らかである。
【００４７】
また、Ｌｔは、上述したごとくＯＡＤＭ５３をスルーするチャネルでのチャネル当たりの挿入損失で、システム設計の段階で設定されるものである。したがって、このＬｔを設定し、かつ上記成立した式（１）のＧ０ａを用いれば、後段の光増幅器の利得Ｇ０ｂは、図３から明らかなように、
Ｇ０ｂ＝Ｌｔ＋Ｃ２
が求まり、上述した式（２）が成り立つことは明らかである。
【００４８】
さらに、前段の光増幅器５１の中には、２つの光増幅部５４，５５と、ＶＯＡ５６がこれら光増幅部５４，５５間に介在しており、これらの利得の和は、Ｇ０ａ＋Ｌｖで与えられる。また、後段の光増幅器５２の利得は、Ｇ０ｂである。この場合には、これら利得の和がＣ１になった時に利得平坦度が実現できるから、この平坦化の条件は、
Ｃ１＝Ｇ０ａ＋Ｌｖ＋Ｇ０ｂ　…（４）
となる。
【００４９】
ここで、式（４）に式（１）と式（２）を代入すると、
Ｃ１＝Ｇ０−Ｃ２＋Ｌｖ＋Ｌｔ＋Ｃ２
となり、この式からＬｖを求めると、
Ｌｖ＝Ｃ１−Ｇ０−Ｌｔ
となり、上述した式（３）を得ることができる。
【００５０】
なお、これらの利得の和Ｃ１は、光増幅装置５０の設計に依存する定数で、その値はこの設計から一意的に決まるが、Ｃ２は構築されるシステムとしての考察により以下のように決定する。すなわち、ＯＡＤＭでドロップされるチャネルでの挿入損失Ｌｄとすると、ドロップされた光信号のＥ点における光パワーＰｅは、
Ｐｅ＝Ｐ０−Ｃ２−Ｌｄ
で与えられる。このＰｅが許容範囲、たとえば光受信器の入力ダイナミックレンジ内に納まる必要があるので、この許容範囲の最小値と最大値を、Ｐｒｍｉｎ、Ｐｒｍａｘとすると、
Ｐｒｍｉｎ＜Ｐ０−Ｃ２−Ｌｄ＜Ｐｒｍａｘ　　…（５）
が成り立つ。そして、Ｅ点での光パワーがこの許容範囲に入り、式（５）が成立するようにＣ２の値を決定する。
【００５１】
ここで、この実施の形態の光増幅装置を実装する場合を想定して、たとえば式（５）に、
Ｃ１＝３３［ｄＢ］
Ｐ０＝＋３［ｄＢｍ］
Ｐｒｍｉｎ＝−２０［ｄＢｍ］
Ｐｒｍａｘ＝０［ｄＢｍ］
Ｌｄ＝５［ｄＢ］
の数値を代入すると、
−２０＜−Ｃ２−２＜０
となり、Ｃ２は、
−２［ｄＢ］＜Ｃ２＜１８［ｄＢ］
の範囲内に設定されれば、式（５）を満足することができる。
【００５２】
そこで、たとえばＣ２を上述した許容範囲内の６［ｄＢ］とし、かつ
Ｇ０＝２２［ｄＢ］
Ｌｔ＝８［ｄＢ］
が与えられたとすると、式（１）〜式（３）により、前段および後段の光増幅器の利得Ｇ０ａ，Ｇ０ｂとＶＯＡの損失値Ｌｖは、
Ｇ０ａ＝１６［ｄＢ］
Ｇ０ｂ＝１４［ｄＢ］
Ｌｖ＝３［ｄＢ］
となり、良好な光増幅を実現することができる。
【００５３】
このように、この実施の形態では、前段と後段の光増幅器間にＯＡＤＭを接続されており、前段の光増幅器の利得を、予め設定されたネット目標利得Ｇ０と、予め設定された前段の光増幅器におけるチャネル当たりの光出力パワーと後段の光増幅器におけるチャネル当たりの光出力パワーの差Ｃ２との差（Ｇ０ａ＝Ｇ０−Ｃ２）になるように制御するとともに、後段の光増幅器の利得Ｇ０ｂを、ＯＡＤＭをスルーするチャネルでの挿入損失Ｌｔとこの差Ｃ２との和（Ｇ０ｂ＝Ｌｔ＋Ｃ２）になるように制御することで、波長数情報を用いずに光増幅器の利得を制御するため、波長数変化に対する通知およびそれに伴う遅延がなくなり、波長数変化時の過渡期における光信号の伝送品質が劣化するのを防止することができる。
【００５４】
また、この実施の形態では、前段の光増幅器に設けられたＶＯＡの減衰量Ｌｖを、利得が平坦となる時の各増幅部の利得の和Ｃ１と、ネット目標利得Ｇ０とＯＡＤＭをスルーするチャネルでの挿入損失Ｌｔの和との差（Ｌｖ＝Ｃ１−Ｇ０−Ｌｔ）になるようにＶＯＡ制御するので、光増幅器全体の利得がＧ０に保たれた中で、各チャネルにおける光信号の利得を平坦にして、光増幅器の全波長帯域でＧ０に近い利得を得ることができる。
【００５５】
（実施の形態２）
図４は、この発明にかかる光増幅装置の構成の実施の形態２を用いた光増幅中継システムの一部構成を示すシステム構成図である。なお、以下の図において、図１と同様の構成部分に関しては、説明の都合上、同一符号を付記するものとする。
【００５６】
図４の光増幅装置５０において、図１の光増幅装置と異なる点は、ネット目標利得Ｇ０の値を、ユーザなどが人為的に設定するのではなく、監視制御装置を用いて自動的に設定する点である。すなわち、上流局および下流局の光増幅装置５０は、図１に示した光増幅装置の構成の他に、監視用の制御信号を出力する監視制御装置７０と、この制御信号を下流局に送信するＯＳＣ（Ｏｐｔｉｃａｌ　Ｓｕｐｅｒｖｉｓｏｒｙ　Ｃｈａｎｎｅｌ：監視用光インターフェース）７１と、この制御信号（光信号）を、光伝送路３０を伝搬する光信号に合波する光合波器７２と、上流側の光増幅装置からの制御信号（光信号）を分波する光分波器７３と、この制御信号を受信して監視制御装置７０に出力するＯＳＣ７４とをさらに備えて、光増幅中継システム内のネットワーク管理を実現している。
【００５７】
この構成において、上流局の光増幅装置、たとえば図中、左側の光増幅装置では、監視制御装置７０が、光パワー検出回路６７で検出された光増幅部５７の光出力パワーＰｏｕｔをモニタしており、この光出力パワーＰｏｕｔを制御信号として、ＯＳＣ７１から光伝送路３０を介して下流局の光増幅装置、たとえば図中、右側の光増幅装置に送信させている。
【００５８】
下流局の光増幅装置では、ＯＳＣ７４が上流局からの制御信号を受信して、自装置内の監視制御装置７０に出力している。この監視制御装置７０には、この制御信号（上流局の光増幅装置の光出力パワーＰｏｕｔ）とともに、光パワー検出回路６２で検出された光増幅部５４の光入力パワーＰｉｎをモニタしており、この監視制御装置７０は、この光出力パワーＰｏｕｔと光入力パワーＰｉｎの差（Ｐｏｕｔ−Ｐｉｎ）から、光伝送路３０の伝送路損失Ｌは、
Ｌ＝Ｐｏｕｔ−Ｐｉｎ
で求めることができる。
【００５９】
このため、下流局の光増幅装置のネット目標利得Ｇ０は、この伝送路損失Ｌを１００％補償する必要があるので、
Ｇ０＝Ｐｏｕｔ−Ｐｉｎ　　　　　…（６）
のように設定される。
【００６０】
したがって、監視制御装置７０は、この式（６）の演算を行った後に、式（１）〜式（３）にこのＧ０の値を代入して、前段および後段の光増幅器５１，５２の利得Ｇ０ａ，Ｇ０ｂ、ＶＯＡ５６の減衰量Ｌｖの目標値を算出し、これら算出値をＡＧＣ回路５８，５９およびＶＯＡ制御回路６８に与える。
【００６１】
ＡＧＣ回路５８，５９およびＶＯＡ制御回路６８は、与えられたこれら算出値がそれぞれの目標値に近づくように、光増幅部５４，５５，５７およびＶＯＡ５６をそれぞれ制御する。
【００６２】
このように、この実施の形態では、上流局の光伝送路の損失を監視制御装置でモニタし、その値に応じて前段と後段の光増幅器の最適な利得を算出して設定するので、たとえば外部環境の変化などによって、伝送路損失が変動した場合でも、システム内に伝送される光信号の伝送品質が劣化するのを防止することができる。
【００６３】
（実施の形態３）
ところで、上述した実施の形態では、光増幅器５２で増幅された光信号の利得波長はほぼ平坦になるように設計されているが、この光信号が光ファイバ伝送路３０に伝送されると、非線形光学現象の１つであるＳＲＳ（Ｓｔｉｍｕｌａｔｅｄ　Ｒａｍａｎ　Ｓｃａｔｔｅｒｉｎｇ：誘導ラマン散乱）の影響を受けてしまう。
【００６４】
すなわち、ＳＲＳは、光ファイバ伝送路中の光学フォノンとの相互作用によって短波長側の光パワーを長波長側に移行させることから、光ファイバ伝送路に入射されたＷＤＭ光信号は、このＳＲＳの影響によって長波長側の光信号が短波長側の光信号から利得を受けてしまう。このため、光ファイバ伝送路を伝送した後のＷＤＭ光信号の光パワーは、長波長側の光信号が大きくなり、その光スペクトラムは、右上がりの波長特性を持つようになる。
【００６５】
従って、光増幅器を多段接続した光増幅中継システムでは、多段接続数の増加に伴って短波長側と長波長側の光パワーの差が大きくなり、短波長側の光信号のＳ／Ｎが劣化してしまい、伝送効率が低下して光信号の伝送距離が制限されるという問題点があった。
【００６６】
また、図５の光出力パワーとＷＤＭ光信号の光スペクトラムの傾きとの関係に示すように、この光出力パワー（光ファイバ伝送路へ入射するトータル光パワー）が大きいほど、ＷＤＭ光信号の光スペクトラムの傾きは大きくなっていた。
【００６７】
そこで、この実施の形態では、ＳＲＳの影響によって発生する利得波長特性の傾きを補正するために、式（３）の代わりに、ＶＯＡの減衰量Ｌｖを求めるのに、
Ｌｖ＝Ｃ１−Ｇ０−Ｌｔ＋ΔＬ　　　…（７）
この式（７）を用いる。ここで、ΔＬは、ＶＯＡの減衰量の補正値であり、たとえば図１の光増幅装置５０に設けられた光増幅器では、ΔＬをＰ４に応じて変化させる。
【００６８】
次に、ΔＬを求める。なお、ここで、まずＳＲＳの影響によって発生する利得波長特性の傾きＳＲＳ（ｄＧ／ｄλ）は、
ＳＲＳ（ｄＧ／ｄλ）＝４．３４・（β・Ｐ０・Ｌｅｆｆ）［ｄＢ／ｎｍ］…（８）
ここで、Ｐ０：光伝送路３０へ入射される光信号のトータル光パワー［Ｗ］（図１では、Ｐ４に相当）
β：このトータル光パワーが入射される光伝送路３０（種類）に依存する係数［１／Ｗ・ｋｍ・ｎｍ］
Ｌｅｆｆ：このトータル光パワーが入射される光伝送路の実効長［ｋｍ］となる。
【００６９】
なお、この式（８）は、ＥＬＥＣＴＲＯＮＩＣＳ　ＬＥＴＴＥＲＳ，１６ｔｈ　Ａｐｒｉｌ　１９９８，Ｖｏｌ．３４，Ｎｏ．８，Ｍ．Ｚｉｒｎｇｉｂｌの文献に記載されている。
【００７０】
次に、ＳＲＳの影響によって発生する利得波長特性の傾きを打ち消すために、光増幅器で発生させる利得波長特性の傾きＯＦＡ（ｄＧ／ｄλ）は、このＳＲＳの影響によって発生する利得波長特性の傾きとは逆の傾きとなるので、
【００７１】
ＯＦＡ（ｄＧ／ｄλ）＝−ａ・ΔＬ［ｄＢ／ｎｍ］…（９）
ここで、ａ：光増幅器の設計に依存する比例係数［１／ｎｍ］
ΔＬ：光可変減衰器の減衰量の補正値［ｄＢ］
となる。
【００７２】
この式（８）と式（９）の和がゼロになる時、光伝送路を伝送した後の各波長の利得が均一となって、利得波長特性は平坦になるので、この条件におけるΔＬを求めると、まず、式（８）と式（９）の和は、
ＳＲＳ（ｄＧ／ｄλ）＋ＯＦＡ（ｄＧ／ｄλ）＝４．３４・（β・Ｐ０・Ｌｅｆｆ）−ａ・ΔＬ＝０　　　…（１０）
となる。
【００７３】
次に、ΔＬは、
ΔＬ＝４．３４・（β・Ｐ０・Ｌｅｆｆ）／ａ　　　…（１１）
で求まる。すなわち、ΔＬは、光伝送路へ入射される光信号のトータル光パワーＰ０と、このトータル光パワーＰ０が入射される光伝送路の種類に依存する係数βと、このトータル光パワーが入射される光伝送路の実効長とから求まる値である。
【００７４】
この実施の形態では、式（１１）の中に記述されているトータル光パワーの項、すなわちＰ０（図１では、Ｐ４に相当）をＶＯＡ制御回路６８に入力させる。ＶＯＡ制御回路６８では、式（１１）を用いてΔＬを計算し、さらに求めたΔＬを式（７）に代入してＶＯＡの減衰量Ｌｖを算出する。そして、ＶＯＡ制御回路６８は、この得られた減衰量ＬｖになるようにＶＯＡ６８を制御する。
【００７５】
このように、この実施の形態では、ＳＲＳの影響によって発生する利得波長特性の傾きを補正するために、トータルの光出力パワーの検出結果から光可変減衰器の減衰量の補正値を求めて、この利得波長特性の傾きを打ち消すように光可変減衰器の減衰量を制御するので、光伝送路を介した次段の光増幅装置の入力端での各波長（チャネル）における利得波長特性の平坦化が図られ、これによって光増幅器と光伝送路のトータルとして各チャネルにおける光信号の利得が平坦になり、安定した光伝送を行うことができる。
【００７６】
この発明は、これら実施形態に限定されるものではなく、この発明の要旨を逸脱しない範囲で種々の変形実施が可能である。例えば、この発明は、図８に示した従来例と類似した構成の光増幅装置に用いることも可能であり、以下の実施の形態４にこの構成を説明する。
【００７７】
（実施の形態４）
図６は、この発明にかかる光増幅装置の実施の形態１の構成を示す構成図である。なお、図８に示した従来例と同様の構成部分に関しては、説明の都合上、同一符号を付記するものとする。
【００７８】
図６において、この実施の形態では、図８に示したＡＬＣ回路４３，４４の代わりに、ＡＧＣ回路８３，８４を用いて前段および後段の光増幅器８１，８２内の光増幅部４１，４２の利得制御を行っている。たとえば、前段の光増幅器８１内のＡＧＣ回路８３は、光増幅部４１の利得Ｇ０ａが上述した式（１）で与えられる目標値に近づくように光増幅部４１の利得制御を行っている。すなわち、この光増幅器８１では、光分波器８４，４６で分波された光信号における光増幅部４１の光入力パワーＰ５［ｄＢｍ］と光出力パワーＰ６［ｄＢｍ］を、光パワー検出回路８６，４８で検出している。このＡＧＣ回路８３は、検出されたＰ６−Ｐ５が式（１）で与えられる前段の光増幅部４１の利得Ｇ０ａの目標値に近づくように、光増幅部４１の利得制御を行っている。
【００７９】
また、後段の光増幅器８２内のＡＧＣ回路８４は、光増幅部４２の利得Ｇ０ｂが上述した式（２）で与えられる目標値に近づくように光増幅部４２の利得制御を行っている。すなわち、この光増幅器８２では、光分波器８５，４７で分波された光信号におけるに光増幅部４２の光入力パワーＰ７［ｄＢｍ］と光出力パワーＰ８［ｄＢｍ］を、光パワー検出回路８７，４９で検出している。このＡＧＣ回路８４は、検出されたＰ８−Ｐ７が式（２）で与えられる後段の光増幅部４２の利得Ｇ０ｂの目標値に近づくように、光増幅部４２の利得制御を行っている。
【００８０】
このように、この実施の形態では、前段の光増幅器の利得Ｇ０ａを、（Ｇ０ａ＝Ｇ０−Ｃ２）になるように制御するとともに、後段の光増幅器の利得Ｇ０ｂを、Ｇ０ｂ＝Ｌｔ＋Ｃ２）になるように制御することで、前段の光増幅器にＶＯＡが接続されていない従来と同様の構成の場合でも、波長数情報を用いずに光増幅器の利得を制御するため、波長数変化に対する通知およびそれに伴う遅延がなくなり、波長数変化時の過渡期における光信号の伝送品質が劣化するのを防止することができる。
【００８１】
さらに、この発明では、図６に示した光増幅装置８０に、図４で示した監視制御装置７０、ＯＳＣ７１，７４、光合波器７２および光分波器７３を設けて、上流局の光伝送路の損失を監視制御装置でモニタし、その値に応じて前段と後段の光増幅器の最適な利得を算出して設定することも可能である。この場合も、実施の形態２と同様に、前段と後段の光増幅器の最適な利得を算出して設定するので、外部環境の変化などによって伝送路損失が変動した場合でも、システム内に伝送される光信号の伝送品質が劣化するのを防止することができる。
【００８２】
【発明の効果】
以上説明したように、この発明では、少なくとも前段と後段の２つの増幅器を有し、検出された光パワーに応じて、前段の利得Ｇ０ａが、ネット目標利得Ｇ０と、予め設定された前段の光増幅器におけるチャネル当たりの光出力パワーと後段の光増幅器におけるチャネル当たりの光出力パワーの差Ｃ２との差になるようにＡＧＣを行い、かつ後段の光増幅器における利得Ｇ０ｂが、ＯＡＤＭをスルーするチャネルでの挿入損失Ｌｔと差Ｃ２との和になるようにＡＧＣを行うので、波長数情報を用いずに光増幅器の利得を制御し、波長数変化時の過渡期における光信号の伝送品質が劣化するのを防止できる。
【００８３】
また、この発明では、前段の光増幅器に減衰器を設け、減衰器の減衰量が、利得が平坦となる時の各増幅部の利得の和Ｃ１と、ネット目標利得Ｇ０とＯＡＤＭをスルーするチャネルでの挿入損失Ｌｔの和との差になるようにＶＯＡ制御するので、波長数情報を用いずに光増幅器の利得を設定されたネット目標利得に制御できる。
【００８４】
また、この発明では、光出力パワーを検出するとともに、上流局の光入力パワーの情報を受信して、この光出力パワーと光入力パワーに基づいて、前記トータル目標利得Ｇ０を設定するので、下流局の光増幅装置によるネット目標利得Ｇ０の自動設定が可能になり、たとえば外部環境の変化などによって、伝送路損失が変動した場合でも、システム内に伝送される光信号の伝送品質が劣化するのを防止することができる。
【００８５】
また、この発明では、ＳＲＳの影響によって生じる利得の変動を考慮し、減衰器の減衰量にこの減衰量の補正値ΔＬを加えて、減衰器の減衰量を制御するので、光伝送路を介した次段の光増幅装置の入力端での各波長（チャネル）における利得波長特性の平坦化が図られ、伝送効率を向上させることができる。
【００８６】
また、この発明では、多段接続された光増幅装置に請求項３〜６に記載の光増幅装置を用いて、光増幅中継システムを構築して、光増幅器の利得制御を行うので、光増幅器の利得を設定された目標利得に制御するとともに、各チャネルにおける光信号の利得の平坦化を図ることができる。
【図面の簡単な説明】
【図１】この発明にかかる光増幅装置の実施の形態１の構成を示す構成図である。
【図２】この発明にかかる光増幅装置を用いた光増幅中継システムの概略構成と、システム全体のレベルダイヤグラムを示す図である。
【図３】図２に示した光増幅装置の概略構成と、光信号をスルー、ドロップおよびアドするチャネルのレベルダイヤグラムを示す図である。
【図４】この発明にかかる光増幅装置の構成の実施の形態２を用いた光増幅中継システムの一部構成を示すシステム構成図である。
【図５】光出力パワーとＷＤＭ光信号の光スペクトラムの傾きとの関係を示す図である。
【図６】この発明にかかる光増幅装置の実施の形態４の構成を示す構成図である。
【図７】従来のＷＤＭシステムの構成の一例を示す構成図である。
【図８】図７に示される光増幅装置の構成の一例を示す構成図である。
【符号の説明】
１０　送信端局装置
１２，７２　光合波器
１３，２１，４０，５０，８０　光増幅装置
２０　受信端局装置
２２，４６，４７、６０，６１，６４，６５，７３，８４，８５　光分波器
３０　光伝送路
４１，４２，５４，５５，５７　光増幅部
５１，５２，８１，８２　光増幅器
４５，５３　ＯＡＤＭ
５８，５９，８３，８４　ＡＧＣ回路
４８，４９，６２，６３，６６，６７，８６，８７　光パワー検出回路
６８　ＶＯＡ制御回路
７０　監視制御装置
７１，７４　ＯＳＣ
１１１　光送信器
２３１　光受信器
【図１】
2004112312.tif 000003
【図２】
2004112312.tif 000004
【図３】
2004112312.tif 000005
【図４】
2004112312.tif 000006
【図５】
2004112312.tif 000007
【図６】
2004112312.tif 000008
【図７】
2004112312.tif 000009
【図８】
2004112312.tif 000010